(57)【要約】本開示は、無線通信に用いられる電子装置及び方法を提供し、当該電子装置は、無認可バンドがアイドルであるかどうかを検出し、無認可バンドがアイドルであることが検出された場合に、使用する無認可バンドの伝送リソースを確定するように配置される処理回路を含む。【選択図】図１２
2020518139.tif 000002
【特許請求の範囲】
【請求項１】
無線通信に用いられる電子装置であって、
無認可バンドがアイドルであるかどうかを検出し、
前記無認可バンドがアイドルであることが検出された場合、使用する前記無認可バンドの伝送リソースを確定するように配置される処理回路、を含む電子装置。
【請求項２】
前記処理回路は、ネットワーク制御端末によって送信される第１のブロードキャスト信号を感知し、前記第１のブロードキャスト信号に基づいて前記伝送リソースを確定するように配置される、請求項１に記載の電子装置。
【請求項３】
前記処理回路は、ネットワーク制御端末によって予め設定されるリソース割り当て規則に基づいて前記伝送リソースを確定するように配置される、請求項１に記載の電子装置。
【請求項４】
前記処理回路は、予め取得されたエネルギーリソースマッピングテーブルを参照して、前記第１のブロードキャスト信号のエネルギーに基づいて前記伝送リソースを確定するように配置される、請求項２に記載の電子装置。
【請求項５】
前記ネットワーク制御端末から前記エネルギーリソースマッピングテーブルを受信するように配置される送受信回路をさらに含む、請求項４に記載の電子装置。
【請求項６】
前記送受信回路は、ネットワークノードが前記無認可バンドにランダムアクセスする時、又は、前記無認可バンドにランダムアクセスした後、前記ネットワーク制御端末から前記エネルギーリソースマッピングテーブルを受信するように配置される、請求項５に記載の電子装置。
【請求項７】
前記送受信回路は、前記エネルギーリソースマッピングテーブルを無線リソース制御シグナリング又はブロードキャストによって受信するように配置される、請求項５に記載の電子装置。
【請求項８】
前記送受信回路はさらに、前記無認可バンドにおいて前記無認可バンドの伝送フィードバック情報を受信し、伝送が失敗した場合に、前記伝送フィードバック情報はさらに、再伝送リソース指示が含まれるように配置され、
前記処理回路は、前記伝送フィードバック情報に基づいて再伝送を行うことを確定する時に、前記再伝送リソース指示に基づいて、前記再伝送に使用される伝送リソースを確定するように配置される、請求項５に記載の電子装置。
【請求項９】
前記再伝送リソース指示は、チャネル保持信号を含み、前記処理回路は、前記チャネル保持信号のエネルギー値に基づいて、前記再伝送に使用される伝送リソースを確定する、請求項８に記載の電子装置。
【請求項１０】
前記送受信回路はさらに、認可バンドにおいて、前記無認可バンドの伝送フィードバック情報を受信するように配置され、前記処理回路はさらに、前記伝送フィードバック情報に基づいて再伝送を行うことを確定する時に、前記無認可バンドがアイドルであるかどうかを検出し、前記無認可バンドがアイドルである場合に、前記ネットワーク制御端末によって送信される第１のブロードキャスト信号を感知して、前記第１のブロードキャスト信号に基づいて、前記再伝送に使用される伝送リソースを確定するように配置され、その中、前記伝送フィードバック情報はさらに、更新されたエネルギーリソースマッピングテーブルを含む、請求項５に記載の電子装置。
【請求項１１】
前記処理回路はさらに、再伝送を行う時に、再伝送の回数に基づいて前記再伝送に使用される伝送リソースを確定するように配置される、請求項３に記載の電子装置。
【請求項１２】
前記処理回路は複数のサブキャリアのうち各サブキャリアに対して操作を行う、請求項１に記載の電子装置。
【請求項１３】
無線通信に用いられる電子装置であって、
ネットワークノードの分布に基づいてエネルギーリソースマッピングテーブルを生成し、前記エネルギーリソースマッピングテーブルは、ネットワークノードによって受信された第１のブロードキャスト信号のエネルギーと、使用する無認可バンドの伝送リソースとの対応関係を表し、
前記エネルギーリソースマッピングテーブルに基づいて、特定のエネルギーを有する前記第１のブロードキャスト信号を生成するように配置される処理回路、を含む電子装置。
【請求項１４】
前記処理回路は、前記ネットワークノードの分布が変化した時に、前記エネルギーリソースマッピングテーブルを更新するように配置される、請求項１３に記載の電子装置。
【請求項１５】
前記エネルギーリソースマッピングテーブルを前記ネットワークノードに送信し、前記第１のブロードキャスト信号をブロードキャストするように配置される送受信回路をさらに含む、請求項１３に記載の電子装置。
【請求項１６】
前記送受信回路は、前記第１のブロードキャスト信号をディレクテッドブロードキャストするように配置される、請求項１５に記載の電子装置。
【請求項１７】
前記送受信回路は、前記第１のブロードキャスト信号を周期的又は継続的に送信するように配置される、請求項１５に記載の電子装置。
【請求項１８】
前記送受信回路は、前記ネットワークノードが前記無認可バンドにアクセスする時、又は、前記ネットワークノードが前記無認可バンドにアクセスした後、前記エネルギーリソースマッピングテーブルを送信するように配置される、請求項１５に記載の電子装置。
【請求項１９】
前記処理回路はさらに、前記無認可バンドにおける前記ネットワークノードの伝送の結果に基づいてフィードバックを生成して、無認可バンドがアイドルであるかどうかを検出するように配置され、前記送受信回路は、前記無認可バンドがアイドルであることが検出された場合、前記無認可バンドにおいて前記フィードバックを送信し、前記伝送が失敗した場合に、前記フィードバックは、再伝送リソース指示がさらに含まれるように配置される、請求項１５に記載の電子装置。
【請求項２０】
前記再伝送リソース指示はチャネル保持信号を含み、前記チャネル保持信号のエネルギー値は、前記ネットワークノードが再伝送に使用する伝送リソースを確定するために使用される、請求項１９に記載の電子装置。
【請求項２１】
前記処理回路はさらに、前記無認可バンドにおける前記ネットワークノードの伝送の結果に基づいてフィードバックを生成するように配置され、前記送受信回路は、認可バンドにおいて前記フィードバックを送信し、前記伝送が失敗した場合、前記フィードバックはさらに、更新されたエネルギーリソースマッピングテーブルが含まれるように配置される、請求項１５に記載の電子装置。
【請求項２２】
前記処理回路は、複数のサブキャリアが存在する場合に、サブキャリアのそれぞれに対して前記エネルギーリソースマッピングテーブルを生成するように配置される、請求項１３に記載の電子装置。
【請求項２３】
無線通信に用いられる方法であって、
無認可バンドがアイドルであるかどうかを検出することと、
前記無認可バンドがアイドルであることが検出された場合に、使用する前記無認可バンドの伝送リソースを確定することと、を含む方法。
【請求項２４】
無線通信に用いられる方法であって、
ネットワークノードの分布に基づいて、エネルギーリソースマッピングテーブルを生成し、前記エネルギーリソースマッピングテーブルは、ネットワークノードによって受信された第１のブロードキャスト信号のエネルギーと、使用する無認可バンドの伝送リソースとの対応関係を表すことと、
前記エネルギーリソースマッピングテーブルに基づいて、特定のエネルギーを有する前記第１のブロードキャスト信号を生成することと、を含む方法。
【発明の詳細な説明】
【技術分野】
【０００１】
本出願は、２０１７年３月２３日に中国特許庁に提出された、出願番号が２０１７１０１７７９９３．３であって、発明の名称が「無線通信に用いられる電子装置及び方法」である中国特許出願の優先権を主張するものであり、その全内容を本出願に参照により援用する。
【０００２】
本発明の実施例は、一般的に、無線通信の分野に関し、具体的には、無認可バンドを利用する無線通信におけるアップリンク伝送リソース割り当てに関し、より具体的には、アップリンク免除認可スケジューリングを実現することができる無線通信に用いられる電子装置及び方法に関する。
【背景技術】
【０００３】
新しい無線（Ｎｅｗ  Ｒａｄｉｏ、ＮＲ）の第１の段階の方案に関する現在の議論に基づいて、超高信頼性と超低遅延通信（Ｕｌｔｒａ  ｒｅｌｉａｂｌｅ  ａｎｄ  ｌｏｗ  ｌａｔｅｎｃｙ  ｃｏｍｍｕｎｉｃａｔｉｏｎ、ＵＲＬＬＣ）は、５Ｇ認可バンドで考慮しなければならない重要運用シナリオの１つである。ＵＲＬＬＣシナリオでは、ユーザー方面の時間遅延要件は０．５ｍｓであり、ユーザー方面の時間遅延性能要件はＬＴＥによって規定される１０ｍｓよりも２０倍高い。ＵＲＬＬＣの要件を満たすために、ＴＴＩ及びｍｉｎｉ−ｓｌｏｔなどのフレーム構造に関する変化を短くでき、スケジューリングとフィードバックの最小単位を短くすることで、超低時間遅延の基本要件を満たすことができる。また、さらに、シグナリングオーバーヘッドを最小化するために、アップリンク免除認可スケジューリング方案を導入することによって、時間遅延をさらに低減することが提案されている。その中、アップリンク免除認可スケジューリングとは、ユーザー装置（Ｕｓｅｒ  Ｅｑｕｉｐｍｅｎｔ、ＵＥ）が基地局のアップリンクの取得と同期した後、基地局によって送信されるアップリンク認可及びスケジューリング情報を必要とせず、アップリンクデータを直接送信することができるということである。
【発明の概要】
【発明が解決しようとする課題】
【０００４】
また、これからのＮＲ時代には、ＩｏＥ（Ｉｎｔｅｒｎｅｔ  ｏｆ  Ｅｖｅｒｙｔｈｉｎｇ）思想の普及に伴い、無認可バンドの業界のサポートは、ＬＴＥ時代の認可支援アクセス（Ｌｉｃｅｎｓｅｄ−ａｓｓｉｓｔｅｄ  ａｃｃｅｓｓ、ＬＡＡ）と比較して大幅に向上し、独立した（ｓｔａｎｄａｌｏｎｅ）形式での無認可バンド動作は将来の基準（ＮＲの第２の段階）開発の提案にも組み込まれている。従って、無認可バンドの使用に対する研究はますます注目されている。しかし、無認可バンドについて、使用前にチャネルがアイドルであるかどうかを検出する必要があるため、そのメカニズム自体に時間遅延が存在し、アップリンク認可スケジューリングによって時間遅延がさらに生ずるため、無認可バンドが時間遅延をどうのように低減するかは、解決すべき緊急の課題となる。
【０００５】
本発明に関するある態様の基本的理解を提供するように、本発明に関する簡単な概説を以下に示す。この概説が本発明に関する網羅的な概説ではないと理解すべきである。それは、本発明の肝心又は重要部分を確定することを意図するものではなく、本発明の範囲を限定することを意図するものでもない。その目的は、後述するより詳細な説明の前置きとして、簡略化された形でいくつかの概念を提示することである。
【課題を解決するための手段】
【０００６】
本出願の一態様によれば、無認可バンドがアイドルであるかどうかを検出し、無認可バンドがアイドルであることが検出された場合に、使用する無認可バンドの伝送リソースを確定するように配置される処理回路を含む無線通信に用いられる電子装置を提供する。
【０００７】
本出願の別の態様によれば、ネットワークノードの分布に基づいてエネルギーリソースマッピングテーブルを生成し、当該エネルギーリソースマッピングテーブルはネットワークノードによって受信された第１のブロードキャスト信号のエネルギーと使用する無認可バンドの伝送リソースとの対応関係を表し、当該エネルギーリソースマッピングテーブルに基づいて特定のエネルギーを有する第１のブロードキャスト信号を生成するように配置される処理回路を含む無線通信に用いられる電子装置を提供する。
【０００８】
本出願の別の態様によれば、無認可バンドがアイドルであるかどうかを検出することと、無認可バンドがアイドルであることが検出された場合に、使用する無認可バンドの伝送リソースを確定することとを含む無線通信に用いられる方法を提供する。
【０００９】
本出願の別の態様によれば、ネットワークノードの分布に基づいてエネルギーリソースマッピングテーブルを生成し、当該エネルギーリソースマッピングテーブルはネットワークノードによって受信された第１のブロードキャスト信号のエネルギーと使用する無認可バンドの伝送リソースとの対応関係を表し、当該エネルギーリソースマッピングテーブルに基づいて特定のエネルギーを有する第１のブロードキャスト信号を生成することとを含む無線通信に用いられる方法を提供する。
【００１０】
本発明の他の態様によれば、無線通信に用いられる方法のコンピュータプログラムコードと、コンピュータプログラム製品と、当該これらの方法を実現するためのコンピュータプログラムコードが記録されたコンピュータ可読記憶媒体をさらに提供する。
【００１１】
本出願の実施例による電子装置及び方法は、無認可バンドのアップリンク免除認可スケジューリングを実現することができることによって、シグナリング流れが簡素化され、アップリンクスケジューリングが行われないことに起因するリソース選択衝突の問題を回避又は緩和する場合に、超低遅延が達成される。
【００１２】
本発明の上記及びその他の利点は、添付の図面を参照して本発明の好ましい実施例の以下の詳細な説明からより明らかになる。
【図面の簡単な説明】
【００１３】
本発明の上記及びその他の利点及び特徴についてさらに記述するために、以下、本発明の具体的な実施形態について添付の図面を参照してさらに詳細に説明する。前記添付の図面は、以下の詳細な説明と共に本明細書に組み込まれ、本明細書の一部を形成する。同じ機能及び構造を有する構成要素は同じ参照符号によって示されている。これらの図面は本発明の典型的な例のみを示しており、本発明の範囲を限定するものと見なされるべきではないことは理解すべきである。図面において、
【００１４】
【図１】本出願の一実施例による無線通信に用いられる電子装置を示す機能モジュールブロック図である。
【図２】第１のブロードキャスト信号の感知のタイミングを概略的に示す図である；
【図３】エネルギー指示評価（Ｅｎｅｒｇｙ  Ｉｎｄｉｃａｔｉｏｎ  Ａｓｓｅｓｓｍｅｎｔ、ＥＩＡ）が２５マイクロ秒のＬＢＴメカニズムと結合される場合の伝送の流れを示す概略図である；
【図４】ＥＩＡがＣａｔ．４ＬＢＴメカニズムと結合される場合の伝送の流れを示す概略図である。
【図５】エネルギー範囲と伝送リソースとの対応関係の一例を示す図である。
【図６】ＬＡＡではネットワークノードが無認可バンドにランダムアクセスする場合の認可バンドにおけるシグナリングのやり取りを示す概略図である。
【図７】セルフキャリアフィードバックの情報の流れを示す概略図である。
【図８】クロスキャリアフィードバックの情報の流れを示す概略図である。
【図９】最初の伝送と再伝送のエネルギーリソースマッピングの例を示す概略図である。
【図１０】本出願の別の実施例による無線通信に用いられる電子装置を示す機能モジュールブロック図である。
【図１１】時間周波数リソースにおいて分割された競争リソースユニットを示す概略図である。
【図１２】本出願の一実施例による無線通信に用いられる方法を示すフローチャートである。
【図１３】本出願の別の実施例による無線通信に用いられる方法を示すフローチャートである。
【図１４】本開示の技術を適用できるｅＮＢの概略構成の第１の例を示すブロック図である。
【図１５】本開示の技術を適用できるｅＮＢの概略構成の第２の例を示すブロック図である。
【図１６】本開示の技術を適用できるスマートフォンの概略構成の例を示すブロック図である。
【図１７】本開示の技術を適用できるカーナビゲーションの概略構成の例を示すブロック図である。
【図１８】本発明の実施例による方法及び／又は装置及び／又はシステムを実現できる汎用コンピューターの例示的な構成を示すブロック図である。
【発明を実施するための形態】
【００１５】
以下、本発明の例示的な実施例について添付図面を参照して説明する。明確化と簡潔さのために、実際の実施形態の全ての特徴が明細書に記述されているわけではない。しかしながら、こういう実際の実施例の開発において多くの実施形態特有の決定が行われなければならなく、開発者の具体的な目標を達成し、例えば、システムや業務に関連する制約条件を満たし、これらの制約条件は実施形態に応じて変更される可能性があることと理解すべきである。加えて、開発作業は非常に複雑で時間がかかるが、そのような開発作業は本開示の利益を有する当業者にとって日常的なものであることも理解されるべきである。
【００１６】
ここで、不必要な詳細によって本発明を不明瞭にすることを避けるために、本発明による方案に密接に関連する装置構造及び／又は処理ステップのみが図面に示され、本発明とはほとんど関係のない他の詳細は省略されることにも注意されたい。
【００１７】
＜第１の実施例＞
以上のように、現在議論されているＵＲＬＬＣシナリオにおけるアップリンク免除認可スケジューリングは、いずれもＮＲの認可バンドに基づいている。今後の開発では、ＮＲ無認可バンドおけるアップリンク免除認可スケジューリングの導入方法は、ＬＡＡの補助認可アクセス方式と同様の検討が必要である。本実施例は、無認可バンドのアップリンク免除認可スケジューリングのための解決方案を提案する。ここでは、ＵＲＬＬＣシナリオを例に説明したが、本技術を適用可能なシナリオはこれに限定されず、無認可バンドにおけるアップリンク免除認可スケジューリングが可能な任意のシナリオに適用することができると理解されるべきことである。
【００１８】
本実施例では、ネットワーク制御端末は、認可バンド及び無認可バンドにおいて、ネットワークノードに対して無線通信サービスを提供することができる。その中、ネットワーク制御端末とは、通信活動に関する設置、制御、通信リソース割り当てなどの機能を実現するための通信システムにおけるエンティティであり、例えば、セルラー通信システムにおける基地局、Ｃ−ＲＡＮ（Ｃｌｏｕｄ−ＲＡＮ／Ｃｅｎｔｒａｌｉｚｅｄ−ＲＡＮ）構造（セルの概念が存在しない場合がある）のベースバンドクラウドデバイスであり、例えば、Ｃ−ＲＡＮアーキテクチャでの互いに高速に接続されるＢＢＵプールのうちいずれかのＢＢＵ等であってもよい。ネットワークノードとは、通信リソースを使用してその通信目的を実現する通信システムにおけるエンティティであり、例えば、様々なユーザー装置（例えば、セルラー通信能力を有するモバイル端末、インテリジェント車両、スマートウェアラブル装置等）又は小セル基地局などのネットワークインフラであってもよい。
【００１９】
図１は、本出願の一実施例による無線通信に用いられる電子装置１００の機能モジュールブロック図を示し、図１に示すように、当該電子装置１００は、無認可バンドがアイドルであるかどうかを検出するように配置される検出ユニット１０１と、無認可バンドがアイドルであることが検出された場合に、使用する無認可バンドの伝送リソースを確定するように配置される確定ユニット１０２とを含む。
【００２０】
その中、検出ユニット１０１と確定ユニット１０２は例えば、チップとして実施することができる１つ以上の処理回路によって実現することができる。
【００２１】
無認可バンドについて、ネットワークノードが伝送のために周波数スペクトルリソースを利用する必要がある場合に、まず、無認可バンドのチャネル又はキャリアが占有されるかどうかを検出する必要があり、且つ、その周波数スペクトルリソースは、当該無認可バンドのチャネル又はキャリアがアイドルである場合にのみ利用することができる。通常、当該チャネル又はキャリアがアイドルであるかどうかを検出するプロセスはＬＢＴ（Ｌｉｓｔｅｎ  Ｂｅｆｏｒｅ  Ｔａｌｋ）と呼ばれ、これは、無認可バンド利用の公平性及び有効性を保証することができる。ＬＢＴとは、チャネル又はキャリアを使用する前に、チャネルがアイドルであるかどうかを、アイドルチャネル評価（Ｃｌｅａｒ  Ｃｈａｎｎｅｌ  Ａｓｓｅｓｓｍｅｎｔ、ＣＣＡ）の方式によってチェックすることである。
【００２２】
認可されたアップリンクスケジューリングに基づくプロセスと異なり、免除認可アップリンクスケジューリングが採用される場合に、ネットワークノードは、ネットワーク制御端末の認可スケジューリングシグナリングによって、基地局によって割り当てられたアップリンク伝送リソースを知っていることができなく例えば、ＰＵＳＣＨ（Ｐｈｙｓｉｃａｌ  Ｕｐｌｉｎｋ  Ｓｈａｒｅｄ  Ｃｈａｎｎｅｌ）リソースであり、具体的に、例えば、開始ＰＲＢ（Ｐｈｙｓｉｃａｌ  Ｒｅｓｏｕｒｃｅ  Ｂｌｏｃｋ）位置、ＭＣＳ（Ｍｏｄｕｌａｔｉｏｎ  ａｎｄ  Ｃｏｄｉｎｇ  Ｓｃｈｅｍｅ）レベル、変調方式などである。この場合、リソースアクセスの衝突の発生を避けるために、まず、使用する無認可バンドの伝送リソースを確定する必要がある。確定ユニット１０２によって行われる確定は、認可アップリンクスケジューリングと比べると、暗黙のリソース割り当て通知方式に基づくものである。
【００２３】
一例では、確定ユニット１０２はネットワーク制御端末によって送信される第１のブロードキャスト信号を感知し、当該第１のブロードキャスト信号に基づいて伝送リソースを確定する。例えば、確定ユニット１０２による感知は第１のブロードキャスト信号のエネルギーに対する感知であり、以下、エネルギー指示評価（Ｅｎｅｒｇｙ  Ｉｎｄｉｃａｔｉｏｎ  Ａｓｓｅｓｓｍｅｎｔ、ＥＩＡ）とも呼ばれる。当該第１のブロードキャスト信号は、認可バンドにおいてブロードキャストしてもよいし、無認可バンドにおいてブロードキャストしてもよい。例えば、当該第１のブロードキャスト信号は、周期的又は継続的に送信されることができる。周期的に送信される場合に、例えば、送信周期は、ネットワークノードを適時に検出した要件を満たすように設置される。
【００２４】
その中、第１のブロードキャスト信号が認可バンドにおいて送信される場合に、確定ユニット１０２は、無認可バンドにおける伝送を行う前に、例えば、無認可バンドのＬＢＴを行う前に、ＬＢＴにおいてＣＣＡを行う時に、及びＬＢＴにおいてＣＣＡを完了した後の遅延時間において、第１のブロードキャスト信号の感知をリアルタイムに行う。
【００２５】
一方、第１のブロードキャスト信号が無認可バンドにおいて送信される場合に、確定ユニット１０２は、図２に概略的に示すように、ＬＢＴにおいてＣＣＡが成功した後の遅延時間に、第１のブロードキャスト信号の感知を行うことができる。第１のブロードキャスト信号が継続的に送信されるが、確定ユニット１０２はＬＢＴにおいてチャネルがアイドルである（即ち、ＣＣＡが成功する）ことを検出した後、当該第１のブロードキャスト信号の感知を行う。例えば、第１のブロードキャスト信号のエネルギーを、ＬＢＴメカニズムにおける共存問題を判断するための検出エネルギー閾値よりも遥かに低いように設置することができ、これによって、無認可バンドにアクセスできるかどうかの判断を妨げることはない。また、他の例では、前記第１のブロードキャスト信号を送信するための無認可バンドは、前記ネットワークノードが使用する無認可バンドと異なってもよく、効果的に区別し、干渉を避けることができる。また、図２に示すＬＢＴはＬＢＴメカニズムの一例ただであるが、これに限定されるものではなく、例えば、ＲＡＮ１＃８４で提出された２５マイクロ秒ＬＢＴメカニズム、Ｃａｔ４．ＬＢＴメカニズムなどの様々なＬＢＴメカニズムを使用することができる。
【００２６】
例えば、ＥＩＡが２５マイクロ秒のＬＢＴメカニズムと結合される場合に、初期ＣＣＡが正常に完了したことを保証する場合に、ネットワークノードは、第１のブロードキャスト信号を検出することで、リソースが割り当てられるエネルギー範囲を確定し、ひいては伝送リソースを確定することができる。図３に、ＥＩＡが２５マイクロ秒のＬＢＴメカニズムと結合される場合の伝送の流れの概略図を示した。その中、左側破線のボックス内はＥＩＡであり、２５マイクロ秒ＣＣＡの成功に基づいて独立して行われる。そのため、ＣＣＡは、現在アクセスされるチャネルが他のネットワークノードによって占有されないことが検出された場合に、左側破線のボックス内で、ネットワークノードがＥＩＡを実行し、アップリンク伝送が可能なリソースを見つけるまで待機する必要がある。これから見ると、右側破線のボックス内の伝送の実行はＣＣＡとＥＩＡの成功に基づいて行われる。例えば、第１のブロードキャスト信号が検出されないか、又は第１のブロードキャスト信号のエネルギーが有効範囲内にない場合に、アイドル状態にバックオフする。一方、伝送が終了した後、新しい送信要求があれば、ＬＢＴ処理を再度行う。また、図の破線の菱形ボックスに示すように、ＣＣＡが成功した後、アップリンク免除認可スケジューリングのメカニズムを現在採用するかどうかを事前に判断することができる。判断が肯定される場合、左側破線のボックス内のＥＩＡを実行し、当該処理はＣＣＡがチャネル保持信号（ｒｅｓｅｒｖａｔｉｏｎ  ｓｉｇｎａｌ）を送信する処理と同期して行われることができ、逆に、タイムスロット境界が揃うのを待った後、アップリンク伝送を直接に行う。
【００２７】
別の例として、ＥＩＡはアップリンクＣａｔ．４ＬＢＴメカニズムと結合することができる。その中、アップリンクＣａｔ．４ＬＢＴはダウンリンクＣａｔ．４ＬＢＴに基づいて、競争ウィンドウ（ｃｏｎｔｅｎｔｉｏｎ  ｗｉｎｄｏｗ）のサイズ及びバックオフ（ｂａｃｋｏｆｆ）長さを調整することで確定されたアップリンクＬＡＡに特別に適用なメカニズムである。２５マイクロ秒ＬＢＴと比べて、アップリンクＣａｔ．４ＬＢＴは拡張ＣＣＡの部分が増加し、即ち、初期ＣＣＡが失敗した後、チャネルが占有されるかどうかを継続して検出し、従って、図４に示すように、初期ＣＣＡが成功したか又は拡張ＣＣＡ（ｅＣＣＡ）が成功した後、ＥＩＡを行うことができる。破線のボックスにおけるＥＩＡは、以上、図３により説明されたＥＩＡと同じ機能と操作を有する。右側破線のボックス内の伝送はネットワークノードが無認可バンドのあるチャネルに正常にアクセスした後、ＥＩＡの完成を待ってアップリンク伝送を行う必要がある。第１のブロードキャスト信号が検出されたことができないか、又は第１のブロードキャスト信号のエネルギーが有効範囲内にないようなＥＩＡ検出が失敗する場合、アイドル状態にバックオフし、新しい送信要求があれば、ＬＢＴ処理を再度行う。また、図３と同様に、図４の破線の菱形ボックスに示すように、ＣＣＡ又はｅＣＣＡが成功した後、アップリンク免除認可スケジューリングメカニズムを現在使用するかどうかを事前に判断することができる。判断が肯定の場合、左側破線のボックス内のＥＩＡを実行し、逆に、タイムスロット境界が揃うのを待った後、アップリンク伝送を直接に行う。
【００２８】
理解すべきことは、図３及び図４に示された例は、例示的な目的のみものであり、限定的なものではない。本出願によって提出されるＥＩＡは任意のＬＢＴメカニズムと結合して使用することができる。
【００２９】
以上のように、ＣＣＡが成功しＥＩＡが実行された後、確定ユニット１０２は、第１のブロードキャスト信号のエネルギーに基づいて伝送リソースを確定することができる。この場合、第１のブロードキャスト信号のエネルギーと伝送リソースとの対応関係が予め設定される。このような対応関係は例えば、エネルギーリソースマッピングテーブルに含まれてもよい。確定ユニット１０２は、予め取得したエネルギーリソースマッピングテーブルを参照して、第１のブロードキャスト信号のエネルギーに基づいて使用する伝送リソースを確定することができる。理解すべきなのは、チャネルの変動性のため、エネルギーリソースマッピングテーブルは、典型的には、エネルギー範囲と伝送リソースとの対応関係が含まれることが理解されるべきである。確定ユニット１０２によって感知された第１のブロードキャスト信号のエネルギーがある範囲内に収まる限り、ネットワークノードは当該エネルギー範囲に対応する伝送リソースを使用して伝送することができる。当該伝送リソースは例えば、最初伝送リソースとリソースサイズによって表すことができる。図５は、エネルギー範囲と伝送リソースとの対応関係の一例を示す図であり、ネットワークノードＮＮ１−ＮＮ４は、それぞれ異なるエネルギー範囲の第１のブロードキャスト信号を検出し、図５に示すように、対応する伝送リソースを見つける。また、ネットワーク制御端末は、送信される第１のブロードキャスト信号の電力を制御することによって、ネットワークノードによって感知された第１のブロードキャスト信号の電力を所望の範囲内にすることができる。
【００３０】
また、図５に示すように、感知された第１のブロードキャスト信号のエネルギー値がある範囲を超える場合、例えば、予め設定された最低エネルギー閾値よりも低いか又は最高エネルギー閾値よりも高い場合は、ネットワーク制御端末はチャネル繁忙又はチャネル品質が悪いなどの要因で当該ネットワークノードに利用可能なアップリンク伝送リソースを割り当てることはないことを表す。この場合、ネットワークノードは無認可バンドを利用して通信することができない。
【００３１】
割り当てられた伝送リソースのサイズについて、以下のような２つのシナリオがある。第１のシナリオでは、ネットワークノードはアップリンクスケジューリング要求（例えば、認可バンドを介する）をネットワーク制御端末に送信し、当該アップリンクスケジューリング要求には、ネットワークノードによる伝送によって占有されるリソースのサイズが含まれ、ネットワーク制御端末は当該情報に基づいて当該ネットワークノードに割り当てる伝送リソースのサイズを計画する。第２のシナリオでは、ネットワークノードはアップリンクスケジューリング要求を送信せず、ネットワーク制御端末はネットワークノードの実際の要求を取得することができないので、例えば、静的な均一割り当て又は履歴に基づく割り当ての方式を採用することができる。
【００３２】
上記の例では、確定ユニット１０２はＬＢＴではＣＣＡが成功した後の遅延時間を利用してＥＩＡを行い、使用する伝送リソースを確定し、アップリンクスケジューリング免除認可が実現される。確定ユニット１０２は、感知された第１のブロードキャスト信号のエネルギーの大きさを繰り返し確認する必要がないので、ＥＩＡに要する時間は非常に短い。アップリンクスケジューリング認可の使用と比較して、遅延を大幅に低減することができる。
【００３３】
その中、上記エネルギーリソースマッピングテーブルは、現在アクセスしているネットワークノードの分布、干渉状況などに基づいてネットワーク制御端末で作成され、ネットワークノードに提供される。それに対応して、図１の破線のボックスに示すように、電子装置１００はネットワーク制御端末からエネルギーリソースマッピングテーブルを受信するように配置される送受信ユニット１０３をさらに含んでもよい。その中、送受信ユニット１０３は、認可バンドにおいて当該エネルギーリソースマッピングテーブルを受信することができる。
【００３４】
例えば、送受信ユニット１０３は、ネットワークノードが無認可バンドにランダムアクセスする時、又は、無認可バンドにランダムアクセスした後、ネットワーク制御端末からエネルギーリソースマッピングテーブルを受信することができる。図６は、ＬＡＡではネットワークノードが無認可バンドにランダムアクセスする場合の認可バンドにおけるシグナリングのやり取りを示す概略図である。その中、基地局などのネットワーク制御端末はＰＳＳ、ＳＳＳをユーザー装置などのネットワークノードに送信してから、ランダムアクセス処理、即ち、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）においてＭｓｇ１からＭｓｇ４のやり取りを実行する。一例として、エネルギーリソースマッピングテーブル可がＭｓｇ４に含まれてもよい。又は、図６に示すように、ネットワーク制御端末は、ＰＳＳ／ＳＳＳを送信した後且つＰＲＡＣＨの前に無線リソース制御（Ｒａｄｉｏ  Ｒｅｓｏｕｒｃｅ  Ｃｏｎｔｒｏｌ、ＲＲＣ）シグナリングによってエネルギーリソースマッピングテーブルを送信することができる。また、ランダムアクセスを完了した後、ネットワーク制御端末によって、例えばＰＢＣＨ（Ｐｈｙｓｉｃａｌ  Ｂｒｏａｄｃａｓｔ  Ｃｈａｎｎｅｌ）を介してブロードキャストメッセージを追加送信するか、又はＲＲＣシグナリング（図未しない）によってエネルギーリソースマッピングテーブルを送信することができる。それに対応して、送受信ユニット１０３は、ブロードキャスト又はＲＲＣシグナリングによってエネルギーリソースマッピングテーブルを受信する。また、エネルギーリソースマッピングテーブルが更新される時に、送受信ユニット１０３は同様に、ＲＲＣシグナリング又はブロードキャストメッセージによって更新されたエネルギーリソースマッピングテーブルを受信することができる。図に示されないが、エネルギーリソースマッピングテーブルが含まれるＲＲＣシグナリングはＰＳＳ／ＳＳＳの送信の前に送信されてもよい。
【００３５】
上記のように、確定ユニット１０２は、当該エネルギーリソースマッピングテーブルに基づいて、感知された第１のブロードキャスト信号のエネルギーに対応する伝送リソースを確定する。次に、ネットワークノードは当該伝送リソースを使用してアップリンク伝送を行う。ネットワーク制御端末は、アップリンク伝送のデータ又は制御情報を受信した後、それを復調して、復調が成功するかどうかのフィードバックをネットワークノードに送信する。当該フィードバックの送信に使用されるバンドによって、クロスキャリアフィードバック及びセルフキャリアフィードバックという２つの形式に分けることができる。
【００３６】
まず、図７に示すように、セルフセルフキャリアフィードバックの形式について検討する。その中、ネットワーク制御端末は、機能的にプライマリセル（Ｐｃｅｌｌ）とセカンダリセル（Ｓｃｅｌｌ）に分割され、プライマリセルとネットワークノードは認可バンドにおいて通信し、セカンダリセルとネットワークノードとは無認可バンドにおいて通信する。その中、図７の上半部分はＬＡＡではネットワークノードがセカンダリセルにランダムアクセスするシグナリングの流れを示し、図６に同様であり、ここで繰り返さない。
【００３７】
ネットワークノードランダムがセカンダリセルにアクセスした後、ネットワークノードは伝送しようとするので、ＬＢＴが行われ、また、ここで説明するＬＢＴは、使用する伝送リソースを確定するように、ＣＣＡだけでなく、以上に説明したＣＣＡが成功した後のＥＩＡも含まれる。ネットワークノードはその後、確定した伝送リソースを使用して無認可バンドの伝送を行うと共に、ネットワーク制御端末からのフィードバックを受信する。
【００３８】
セルフキャリアフィードバックの場合に、送受信ユニット１０３は、無認可バンドにおいて無認可バンドの伝送フィードバック情報を受信し、伝送が失敗した場合に当該伝送フィードバック情報には、再伝送リソース指示がさらに含まれるように配置され、確定ユニット１０２は伝送フィードバック情報に基づいて、再伝送を行うことを確定する時に、当該再伝送リソース指示に基づいて再伝送に使用される伝送リソースを確定するように配置される。
【００３９】
例えば、ネットワーク制御端末は、伝送が成功した場合にＡＣＫメッセージを送信し、伝送が失敗した場合にＮＡＣＫメッセージを送信する。セルフキャリアフィードバックが行われる時に、これらのメッセージはいずれも無認可バンドにおいて送信される。無認可バンドを使用して送信するため、ネットワーク制御端末が、これらのメッセージを送信する前にＬＢＴを行って、現在のダウンリンクチャネルが占有されるかどうかを検出する必要があることに留意されたい。
【００４０】
一例では、ＮＡＣＫメッセージは、チャネル保持信号（ｒｅｓｅｒｖａｔｉｏｎ  ｓｉｇｎａｌ）をさらに含むことができ、当該チャネル保持信号は、同一の最大チャネル占有時間（Ｍａｘｉｍｕｍ  Ｃｈａｎｎｅｌ  Ｏｃｃｕｐａｎｃｙ  Ｔｉｍｅ、ＭＣＯＴ）にネットワークノードに対してチャネルを保持して、ＬＢＴは再伝送にを必要ではなく、特に、チャネル条件が悪い場合には、複数の再伝送を避けることができ、システム効率が向上される。また、ネットワーク制御端末は、確定ユニット１０２が当該チャネル保持信号のエネルギー値に基づいて再伝送に使用される伝送リソースを確定することができるように、エネルギーリソースマッピングテーブルによって、当該チャネル保持信号のエネルギー値を設置してもよく、言い換えれば、チャネル保持信号も、再伝送リソース指示として使用される。この場合に、再伝送を行う時に、図７の破線のボックスに示すように、まず、ＥＩＡを行って再伝送に使用される伝送リソースを確定する必要がある。
【００４１】
別の例では、再伝送リソース割り当てテーブルは、再伝送時に使用する伝送リソースを指定するための再伝送リソース指示として使用される。確定ユニット１０２は、当該再伝送リソース割り当てテーブルに基づいて再伝送に使用される伝送リソースを確定する。
【００４２】
図７に示すように、ＡＣＫ／ＮＡＣＫメッセージは、物理ハイブリッド自動再伝送指示チャネル（Ｐｈｙｓｉｃａｌ  Ｈｙｂｒｉｄ  ＡＲＱ  Ｉｎｄｉｃａｔｏｒ  Ｃｈａｎｎｅｌ、ＰＨＩＣＨ）を介して送信することができる。
【００４３】
次に、クロスキャリアスケジューリングの形式について検討する。この場合に、送受信ユニット１０３は、認可バンドにおいて無認可バンドの伝送フィードバック情報を受信するように配置され、伝送フィードバック情報に基づいて再伝送を行うことを確定する時に、検出ユニット１０１は無認可バンドがアイドルであるかどうかを検出し、確定ユニット１０２は無認可バンドがアイドルである場合に、ネットワーク制御端末によって送信される第１のブロードキャスト信号を感知し、当該第１のブロードキャスト信号に基づいて再伝送に使用される伝送リソースを確定し、その中、伝送フィードバック情報は、更新されたエネルギーリソースマッピングテーブルを含んでもよい。
【００４４】
図７と同様に、図８は、クロスキャリアスケジューリングの情報流れの概略図を示し、その中、フィードバック情報はいずれも、認可バンドにおいてＰＨＩＣＨを介して伝送される。最初の伝送と再伝送の前に、ＣＣＡとＥＩＡが含まれるＬＢＴが必要である。
【００４５】
また、単一のネットワークノードについて、最初の伝送と可能な再伝送との間にリソース衝突が発生することがある。適応ＨＡＲＱについて、基地局はＰＤＣＣＨを介して再伝送認可を送信し、その中、再伝送のために選択される必要な時間周波数リソースブロックの開始位置及びサイズが含まれるので、再伝送と最初の伝送との間のリソース選択に衝突はない。しかし、アップリンク免除認可スケジューリングのメカニズムにおいて、ネットワークノードは、明示シグナリングを介してリソース選択の情報を取得することができず、ネットワーク制御端末によって送信されるブロードキャスト信号のエネルギーを検出することによって、事前割り当てられたどのリソースブロックにおいてアップリンク伝送を行うかを判断する。図９に示すように、エネルギーと割り当てられたリソースブロックとの位置関係を簡素化するために、ネットワークノードに割り当てられたリソースブロック全体をいくつかのグループ、例えば、図に示す４つのグループに分割してもよく、最初の伝送と異なる再伝送は異なるグループ内に位置するので、ネットワーク制御端末は、アップリンク伝送のリソース範囲に基づいてネットワークノードのアップリンクデータ情報を直接的に取得することによって、ＨＡＲＱマージ復号化を行うことができる。
【００４６】
一例では、確定ユニット１０２は、再伝送の回数を増加させ、例えば、再伝送の回数が所定の回数（例えば、３回）を超えた場合に、正常の伝送を確保するために、アップリンクスケジューリング認可のメカニズムに切り替えるように配置される。具体的に、ネットワーク制御端末はアップリンクスケジューリング認可をネットワークノードに直接送信するか、又は、ネットワークノードがアップリンクスケジューリング要求をネットワーク制御端末に送信し、ネットワーク制御端末が当該アップリンクスケジューリング要求に基づいてアップリンクスケジューリング認可を送信することができる。
【００４７】
以上、単一のサブキャリアのみについて説明したが、アップリンクキャリアアグリゲーションなどのアップリンクマルチキャリアのシナリオでは、検出ユニット１０１と確定ユニット１０２はそれぞれ、複数のサブキャリアのうち各サブキャリアに対して上記の動作を実行する。言い換えれば、ネットワークノードは各サブキャリアでＬＢＴを実行する。その中、アップリンクリソースの割り当てを確定するために、ＣＣＡを正常に完了した後、ＥＩＡを行う必要がある。例えば、感知された第１のブロードキャスト信号のエネルギーは、異なるサブキャリアに対応して、一致しているが、異なるサブキャリアのエネルギーリソースマッピングテーブルは異なり、例えば、周波数領域リソースが異なる。
【００４８】
要約すると、本出願による電子装置１００は、第１のブロードキャスト信号のエネルギーを感知することによって使用可能なアップリンク伝送リソースを確定し、アップリンクスケジューリング免除認可を実現することで、シグナリングを簡素化し、伝送遅延を低減させる。
【００４９】
＜第２の実施例＞
図１０は、本出願の別の実施例による無線通信に用いられる電子装置２００の機能モジュールブロック図を示し、図１０に示すように、電子装置２００は、ネットワークノードの分布に基づいてエネルギーリソースマッピングテーブルを生成し、当該エネルギーリソースマッピングテーブルはネットワークノードによって受信された第１のブロードキャスト信号のエネルギーと使用する無認可バンドの伝送リソースとの対応関係を表すように配置される第１の生成ユニット２０１と、当該エネルギーリソースマッピングテーブルに基づいて特定のエネルギーを有する第１のブロードキャスト信号を生成するように配置される第２の生成ユニット２０２とを含む。
【００５０】
その中、第１の生成ユニット２０１と第２の生成ユニット２０２は例えば、チップとして実施することができる１つ以上の処理回路によって実現することができる。
【００５１】
第１の生成ユニット２０１は、例えば、現在アクセスされたネットワークノードの数、各ネットワークノードの位置及び干渉状態などの分布に基づいて、一定の距離で信号エネルギーを送信する損失を計算することで、異なるネットワークノードに対して検出に必要なエネルギーを割り当てる。上記のように、チャネルの不確定性のために、通常、エネルギー範囲を設置し、当該エネルギー範囲はある部分の伝送リソースに対応する。異なるネットワークノードの間で受信した第１のブロードキャスト信号のエネルギー範囲を分割し、異なるネットワークノードに対して異なる伝送リソースを割り当て、相互に強い同一チャネル干渉を避けることができる。例えば、同じネットワークノードについて、その位置がどうように変化しても、第２の生成ユニット２０２は、その位置の変化に応じて送信される第１のブロードキャスト信号のエネルギーを変更することによって、ネットワークノードによって検出された第１のブロードキャスト信号のエネルギーは同一の所定の検出範囲内にある。例えば、ネットワークノードがネットワーク制御端末から離れるか、干渉が強くなる時に、当該ネットワークノードに対する第１のブロードキャスト信号の送信電力をそれに応じて向上させ、逆に、第１のブロードキャスト信号の送信電力を低減させる。
【００５２】
第１の生成ユニット２０１はさらに、ネットワークノードの分布が変化した時にエネルギーリソースマッピングテーブルを更新する。例えば、アクセスされたネットワークノードの割り当てられたリソースとエネルギーマッピング関係をそのまま保持し、新しいエネルギー及びリソースマッピング関係が残りの利用可能なリソースに追加され得る。又は、エネルギー及びリソースマッピング関係の再割り当てを現在アクセスしているすべてのネットワークノードに対して行い、この場合には、現在伝送しているネットワークノードに新しいエネルギーリソースマッピングテーブルを通知する必要があり、現在のネットワークノードの数に基づいて動的にリソースを割り当てることができるので、リソースの有効利用率を向上させることができる。
【００５３】
図１０の破線のボックスに示すように、電子装置２００は、エネルギーリソースマッピングテーブルをネットワークノードに送信し、第１のブロードキャスト信号をブロードキャストするように配置される送受信ユニット２０３をさらに含んでもよい。
【００５４】
例示的に、送受信ユニット２０３は、第１のブロードキャスト信号を周期的又は継続的に送信することができる。このように、必要に応じてネットワークノードが第１のブロードキャスト信号を感知することができることが保証される。第１の実施例で説明したように、第１のブロードキャスト信号の送信は、認可バンドにおいて行われてもよいし、無認可バンドにおいて行われてもよく、それらの相違はネットワークノードによって感知されるタイミングが異なることにある。例えば、無認可バンドにおいて送信する場合に、送受信ユニット２０３は、無認可バンドのチャネルがアイドルである場合に、第１のブロードキャスト信号のブロードキャストを行ってもよい。
【００５５】
また、無線チャネルの変動性及び異なるネットワークノードに設定されたエネルギー範囲に、大きな差異を生じさせないため、ネットワークノードによって感知された第１のブロードキャスト信号のエネルギー値は範囲外であり得る。感知エネルギーが境界を超える確率を最小にするために、エネルギー範囲は不連続に分割され得る。即ち、異なるネットワークノードによって検出される必要がある第１のブロードキャスト信号のエネルギー範囲は、境界値の重なりを有さないだけでなく、そのギャップも、測定可能なエネルギー範囲の任意のセットよりも遥かに大きい。図５を例に取ると、例えば、エネルギー範囲１を［−９５、−９２］ｄＢｍに設置し、エネルギー範囲２を［−８５、−８２］ｄＢｍに設置することができる。この場合、測定されたエネルギー値が依然として境界を超える場合、複数受信あるエネルギー範囲に最も近い確率が複数回推定され、それが属するエネルギー範囲を確定することができる。例えば、ネットワークノードは第１のブロードキャスト信号のエネルギーが−９０ｄＢｍであると測定する場合、それがエネルギー範囲１に属すると推定することができる。
【００５６】
ネットワーク制御端末は、現在のネットワークノードの数及び空間における同じ方向に重畳されたネットワークノードの数に基づいて、第１のブロードキャスト信号に対して、全方向のブロードキャスト又はある特定のビーム方向のブロードキャストを行う方式を選択することができる。例えば、送受信ユニット２０３は、第１のブロードキャスト信号をディレクテッドブロードキャストすることができる。例えば、最良のビーム対の方向に第１のブロードキャスト信号をディレクテッドブロードキャストする。
【００５７】
基地局とＵＥとの間の通信を例として、認可バンドにおける同期プロセスではＵＥと基地局のビーム掃引（ｂｅａｍ  ｓｗｅｅｐｉｎｇ）によって一対の最良のビーム対を確定し、これは、同期プロセスでは、基地局は最良のダウンリンクビームを知るだけではなく、ユーザーは最良のアップリンクビームを知ることができるためであり、これらのビームはビーム対と呼ばれる。基地局は、選択された最適ビーム対によって放射されたエネルギーによって、ブロードキャスト信号の方向性を集中させ、エネルギー損失を最小にして、ＵＥがエネルギー検出を行う時に、当該ビーム方向におけるエネルギーの大きさのみを判断して、他の方向の受信エネルギーを無視することができるので、エネルギー決定の性格性は大幅に改善される。図１０は、ビーム対に基づく第１のブロードキャスト信号の伝送の概略図を示す。同時に、特定のビーム方向の伝送は、隠れノードの問題をある程度回避することもでき、即ち、ＵＥは、特定のビームの方向の基地局ブロードキャストエネルギーのみを検出し、信号を送信する他のＵＥによって生成される干渉を避ける。
【００５８】
また、送受信ユニット２０３はネットワークノードが無認可バンドにアクセスする時、又はネットワークノードが無認可バンドにアクセスした後、エネルギーリソースマッピングテーブルを送信することができる。図６に示すように、エネルギーリソースマッピングテーブルは、ランダムアクセスプロセスにおけるＭｓｇ４に含まれてもよい。また、ランダムアクセスを完了した後、送受信ユニット２０３はＰＢＣＨによってブロードキャストメッセージを追加送信するか、又は、ＲＲＣシグナリングによってエネルギーリソースマッピングテーブルを送信する。エネルギーリソースマッピングテーブルが更新される時に、送受信ユニット２０３は同様に、更新されたエネルギーリソースマッピングテーブルを、ＲＲＣシグナリング又はブロードキャストメッセージによって送信することができる。また、図８に示すように、更新されたエネルギーリソースマッピングテーブルは、ＮＡＣＫメッセージに含まれて、ＰＨＩＣＨチャネルによって送信されることができる。
【００５９】
ネットワーク制御端末はネットワークノードからのアップリンク伝送を受信した後、それに対して復調などの受信動作を行い、受信動作の結果をネットワークノードにフィードバックする。例えば、受信が成功すれば、ＡＣＫメッセージをネットワークノードに送信し、受信が成功しなければ、ＮＡＣＫメッセージをネットワークノードに送信し、ネットワークノードがＮＡＣＫを受信した場合に、再伝送を行うことができる。第２の生成ユニット２０２は例えば、ネットワークノードの無認可バンドにおける伝送の結果に基づいてフィードバックを生成する。フィードバックの送信方式によって、それぞれ図７と図８に示すようなセルフキャリアフィードバックとクロスキャリアフィードバックとの２つが有り得る。
【００６０】
セルフキャリアフィードバックの場合に、ネットワーク制御端末は、まず、無認可バンドがアイドルであるかどうかを検出する必要があり、例えば、ＬＢＴなどを行い、送受信ユニット２０３は、無認可バンドがアイドルである場合に、無認可バンドにおいてフィードバックを送信し、伝送が失敗した場合に、当該フィードバックには再伝送リソース指示がさらに含まれてもよい。
【００６１】
一例では、ＮＡＣＫメッセージには、チャネル保持信号（ｒｅｓｅｒｖａｔｉｏｎ  ｓｉｇｎａｌ）がさらに含まれてもよく、当該チャネル保持信号は、同一の最大チャネル占有時間（Ｍａｘｉｍｕｍ  Ｃｈａｎｎｅｌ  Ｏｃｃｕｐａｎｃｙ  Ｔｉｍｅ、ＭＣＯＴ）にネットワークノードに対してチャネルを保持するのに使用され、ＬＢＴは再伝送に必要ではない。例えば、エネルギーリソースマッピングテーブルに基づいて当該チャネル保持信号のエネルギー値を設置することができ、ネットワークノードは当該チャネル保持信号のエネルギー値に基づいて、再伝送に使用される伝送リソースを確定し、言い換えれば、チャネル保持信号はさらに、再伝送リソース指示として使用される。
【００６２】
別の例では、再伝送リソース割り当てテーブルは、再伝送に使用される伝送リソースを指定するための再伝送リソース指示として使用される。ネットワークノードは当該再伝送リソース割り当てテーブルに基づいて、再伝送に使用される伝送リソースを確定する。
【００６３】
図７に示すように、ＡＣＫ／ＮＡＣＫメッセージは、物理ハイブリッド自動再伝送指示チャネル（Ｐｈｙｓｉｃａｌ  Ｈｙｂｒｉｄ  ＡＲＱ  Ｉｎｄｉｃａｔｏｒ  Ｃｈａｎｎｅｌ、ＰＨＩＣＨ）によって送信されることができる。
【００６４】
クロスキャリアスケジューリングの場合に、送受信ユニット２０３は、認可バンドにおいてフィードバックを送信し、伝送が失敗した場合に、当該フィードバックは、更新されたエネルギーリソースマッピングテーブルがさらに含まれるように配置される。フィードバック情報は、図８に示すように、いずれも認可バンドにおいてＰＨＩＣＨによって伝送される。この場合に、認可バンドは、情報やり取りの制御を担当し、無認可バンドはデータのやり取りを担当する。
【００６５】
以上、単一のサブキャリアについて説明したが、複数のサブキャリアが存在するシナリオ（即ち、アップリンクキャリアアグリゲーション）では、第１の生成ユニット２０１は、サブキャリアのそれぞれに対してエネルギーリソースマッピングテーブルを生成するように配置される。即ち、異なるサブキャリアに対して、予め設定されたエネルギーとリソース割り当てとのマッピング関係が異なり、例えば、周波数領域において、リソースが異なる。
【００６６】
要約すると、本実施例による電子装置２００は、第１のブロードキャスト信号とエネルギーとのマッピング関係を設定することによって、ネットワークノードは、アップリンク伝送リソースを暗黙的に割り当てることができ、アップリンクスケジューリング免除認可が実現されることで、シグナリングを簡素化し、伝送遅延を低減させる。
【００６７】
＜第３の実施例＞
本実施例では、図１に示す機能モジュールブロック図を参照する。その中、確定ユニット１０２は、ネットワーク制御端末によって予め設定されたリソース割り当て規則に基づいて伝送リソースを確定することができる。例えば、ネットワーク制御端末は、図１１に示すように、利用可能な時間領域リソース内をいくつかのリソースユニット（ＲＵ、Ｒｅｓｏｕｒｃｅ  Ｕｎｉｔ）に予め分割することができる。その中、異なるパターンで充填された部分はそれぞれ、異なるＲＵ１からＲＵ４を表し、これらＲＵの間は互いに直交している。各ＲＵは、複数のネットワークノードに動的に割り当てられることができ、これらのネットワークノードは、この時間周波数リソースを非直交に多重化することを選択することができ、ネットワーク制御端末は例えば、各ネットワークノードに固有のパイロット（ｐｉｌｏｔ）又は署名（ｓｉｇｎａｔｕｒｅ）によって異なるネットワークノードを区別することができる。
【００６８】
また、ＲＵのサイズは固定されていなくてもよいが、ネットワーク制御端末によって動的に割り当てられるか、又は、履歴ネットワークノードの数又はネットワークノードに衝突が発生する確率に対して深い学習を行った後、自動的に調整されることができる。このように、明確なリソーススケジューリングがない条件の下で、無認可バンド広帯域幅の特性を十分に利用することができ、同時に、ＲＵのサイズの調整も周波数スペクトル効率を向上させるのに役立つことができる、例えば、アクセスされるネットワークノードの数が多く、及び衝突が発生する確率が低いＲＵに対してより多くのリソースを割り当てることができ、即ち、その大きさを増大する。
【００６９】
以上、リソース割り当て規則の一例を示したが、これに限定されず、例えば、ネットワークノードの優先度に基づく割り当て規則などの他の任意の適切なリソース割り当て規則を採用してもよい。
【００７０】
その中、予め設定されたリソース割り当て規則は、ＲＲＣシグナリングによって、アクセスネットワークノードに通知されてもよいし、メッセージのブロードキャストによってネットワークノードに通知されてもよい。例えば、ネットワークノードが無認可バンドにランダムアクセスする時に、例えば、ＰＲＡＣＨのＭｓｇ４によって、当該リソース割り当て規則をネットワークノードに送信することができるか、又は、ネットワークノードが無認可バンドにランダムアクセスした後、当該リソース割り当て規則をメッセージのブロードキャスト又はＲＲＣシグナリングによってネットワークノードに送信することができる。ＬＡＡの場合に、上記リソース割り当て規則の送信は、認可バンドにおいて行われることができる。また、上記リソース割り当て規則の送信は、無認可バンドにおいて行われてもよく、ネットワークノードがＬＢＴを行った後、伝送する前に、当該リソース割り当て規則をすることができることを保証することだけが必要である。
【００７１】
また、単一のネットワークノードについて、最初の伝送が失敗した場合に、再伝送を行う必要がある可能性がある。最初の伝送と再伝送との間に発生し得るリソース競合を避けるために、ネットワークノードに割り当てられた伝送リソースの内部をさらに分割することができ、その中、最初の伝送に使用するリソースと、各再伝送に使用するリソースとはそれぞれ異なる。このように、確定ユニット１０２は、再伝送を行う時に、再伝送の回数に基づいて、再伝送に使用される伝送リソースを確定することができる。また、最初の伝送と再伝送に使用するリソース範囲は異なるので、ネットワーク制御端末は、当該リソース範囲に基づいて、再伝送の回数を判断することができ、これにより、ネットワークノードのアップリンクデータ情報をより直接に取得して、ＨＡＲＱマージ復号化を行い、ＨＡＲＱ復号化の成功率を高めることができる。
【００７２】
上記に示す例によれば、ネットワークノードは、ネットワーク制御端末の認可スケジューリング動作を必要せず、予め設定されたリソース割り当て規則に基づいて、使用するアップリンク伝送リソースを選択することができ、遅延を低下させる。
【００７３】
それに対応して、本実施例は、リソース割り当て規則を生成するように配置される生成ユニットを含む無線通信に用いられる電子装置をさらに提供する。当該リソース割り当て規則は、ネットワークノードに提供されて、ネットワークノードに当該リソース割り当て規則に基づいてアップリンク伝送リソースの選択を行わせる。当該リソース割り当て規則に関する具体的な説明は以上、詳細に説明したので、ここで繰り返さない。
【００７４】
＜第４の実施例＞
上記実施態様では電子装置について説明した過程では、いくつかの処理又は方法が明らかに開示されている。以下、これらの方法の概要については既に説明した事項の一部を繰り返すことなく説明するが、注意すべきことは、これらの方法は電子装置の説明に開示されるが、必ずしもこれらの構成要素を使用するか、又はこれらの構成要素によって実行するものではない。例えば、電子装置の実施態様は、ハードウェア及び／又はファームウェアによって部分的又は完全に実現されてもよく、以下に説明する方法は、電子装置のハードウェア及び／又はファームウェアを使用することができるが、コンピュータ実行可能プログラムによって完全的に実現することもできる。
【００７５】
図１２は、本出願の一実施例による無線通信に用いられる方法のフローチャートを示し、当該方法は、無認可バンドがアイドルであるかどうかを検出すること（Ｓ１１）と、無認可バンドがアイドルであることが検出された場合に、使用する無認可バンドの伝送リソースを確定すること（Ｓ１２）とを含む。
【００７６】
一例では、ステップＳ１２では、ネットワーク制御端末によって送信された第１のブロードキャスト信号を感知して、当該第１のブロードキャスト信号に基づいて伝送リソースを確定する。例えば、予め取得したエネルギーリソースマッピングテーブルを参照して、第１のブロードキャスト信号のエネルギーに基づいて伝送リソースを確定することができる。
【００７７】
図１２には示されないが、上記方法は、ネットワーク制御端末からエネルギーリソースマッピングテーブルを受信するステップをさらに含んでもよい。当該ステップは、ネットワークノードが前記無認可バンドにランダムアクセスする時、又は、前記無認可バンドにランダムアクセスした後、実行されることができる。例えば、無線リソース制御シグナリング又はブロードキャストによって当該エネルギーリソースマッピングテーブルを受信することができる。
【００７８】
また、図１２の破線のボックスに示すように、上記方法は、無認可バンドにおいて無認可バンドにおける伝送フィードバック情報を受信し、伝送が失敗した場合に、当該伝送フィードバック情報には、再伝送リソース指示がさらに含まれるステップＳ１３をさらに含んでもよい。例えば、当該再伝送リソース指示はチャネル保持信号を含んでもよく、当該チャネル保持信号のエネルギー値に基づいて、再伝送に使用される伝送リソースを確定することができる。
【００７９】
伝送フィードバック情報に基づいて再伝送を行うことを確定する時に、当該再伝送リソース指示に基づいて再伝送に使用される伝送リソースを確定する。
【００８０】
また、ステップＳ１３は次のように実行してもよく、認可バンドにおいて無認可バンドの伝送フィードバック情報を受信し、当該伝送フィードバック情報に基づいて再伝送を行うことを確定する時に、無認可バンドがアイドルであるかどうかを検出し、無認可バンドがアイドルである場合に、ネットワーク制御端末によって送信される第１のブロードキャスト信号を感知して、当該第１のブロードキャスト信号に基づいて、再伝送に使用される伝送リソースを確定し、その中、伝送フィードバック情報には、更新されたエネルギーリソースマッピングテーブルがさらに含まれてもよい。
【００８１】
別の例として、ステップＳ１２では、ネットワーク制御端末は予め設定されたリソース割り当て規則によって伝送リソースを確定する。また、再伝送を行う時に、再伝送の回数に基づいて、再伝送に使用される伝送リソースを確定してもよい。
【００８２】
複数のサブキャリアが存在する場合に、複数のサブキャリアのうち各サブキャリアに対して上記各ステップの操作を実行する。
【００８３】
図１３は本出願の一実施例による無線通信に用いられる方法のフローチャートを示し、当該方法は、ネットワークノードの分布に基づいてエネルギーリソースマッピングテーブルを生成し（Ｓ２１）、当該エネルギーリソースマッピングテーブルは、ネットワークノードによって受信された第１のブロードキャスト信号のエネルギーと使用する無認可バンドの伝送リソースとの対応関係を表すことと、当該エネルギーリソースマッピングテーブルに基づいて、特定のエネルギーを有する前記第１のブロードキャスト信号を生成すること（Ｓ２２）とを含む。
【００８４】
また、ステップＳ２１では、さらに、ネットワークノードの分布が変化した時に、エネルギーリソースマッピングテーブルを更新する。
【００８５】
図に示されないが、上記方法は、ネットワークノードにエネルギーリソースマッピングテーブルを送信し、第１のブロードキャスト信号をブロードキャストすることをさらに含む。例えば、第１のブロードキャスト信号を、無指向性ブロードキャスト又はディレクテッドブロードキャストすることができる。また、第１のブロードキャスト信号を周期的又は継続的に送信することができる。
【００８６】
一例では、ネットワークノードが無認可バンドにアクセスする時、又は、ネットワークノードが無認可バンドにアクセスした後、エネルギーリソースマッピングテーブルを送信することができる。例えば、無線リソース制御シグナリング又はブロードキャストによって、当該エネルギーリソースマッピングテーブルを送信することができる。
【００８７】
また、ネットワーク制御端末はさらに、無認可バンドにおけるネットワークノードの伝送の結果に基づいてフィードバックを生成する。図１３の破線のボックスに示すように、上記方法は、フィードバックメッセージをネットワークノードに送信するＳ２３をさらに含む。ステップＳ２３は、無認可バンドにおいて実行することができ、まず、無認可バンドがアイドルであるかどうかを検出し、無認可バンドがアイドルである場合に、当該フィードバックを送信し、前記伝送が失敗した場合に、当該フィードバックは、再伝送リソース指示がさらに含まれる。例えば、再伝送リソース指示はチャネル保持信号を含み、当該チャネル保持信号のエネルギー値は、ネットワークノードが再伝送に使用する伝送リソースを確定するために使用される。
【００８８】
ステップＳ２３は、認可バンドにおいて実行してもよく、伝送が失敗した場合に、当該フィードバックは、更新されたエネルギーリソースマッピングテーブルがさらに含まれてもよい。
【００８９】
以上、単一のサブキャリアについて説明したが、複数のサブキャリアが存在する場合、サブキャリアのそれぞれに対してエネルギーリソースマッピングテーブルを生成する。
【００９０】
なお、上記の各方法は、組み合わせて用いてもよいし、単独で用いてもよく、その詳細については第１から第３の実施例で詳細に説明したので、ここでは繰り返さない。
【００９１】
要約すると、本出願による電子装置及び方法は、アップリンク免除認可スケジューリングを実現し、シグナリングを簡素化し、時間遅延を低減することができる。
【００９２】
＜適用例＞
本開示の技術は各種の製品に適用することができる。以上で言及された基地局は、例えばマクロｅＮＢや小ｅＮＢなどの任意のタイプの進化ノードＢ（ｅＮＢ）として実現することができる。小ｅＮＢは、例えばピコｅＮＢ、マイクロｅＮＢ、及び家庭（フェムト）ｅＮＢなどのマクロセルより小さいセルをカバーできるｅＮＢであってもよい。その代わりに、基地局は、例えばＮｏｄｅＢと基地局トランシーバ（ＢＴＳ）のような任意の他のタイプの基地局として実現することができる。基地局は、無線通信を制御するように配置される主体（基地局装置とも呼ばれる）と、主体と異なるところに設けられる１つ又は複数のリモート無線ヘッド（ＲＲＨ）とを含むことができる。また、後述する様々なタイプのユーザー装置はいずれも、基地局機能を一時的又は半永久的に実行することによって、基地局として機能することができる。
【００９３】
［基地局についての適用例］
（第１の適用例）
図１４は本開示の技術を適用できるｅＮＢの概略構成の第１の例を示すブロック図である。ｅＮＢ８００は１つ又は複数のアンテナ８１０及び基地局装置８２０を含む。基地局装置８２０と各アンテナ８１０はＲＦケーブルを介して接続されてもよい。
【００９４】
アンテナ８１０のそれぞれは単一又は複数のアンテナ素子（例えば多入力多出力（ＭＩＭＯ）アンテナに含まれる複数のアンテナ素子）を含み、基地局装置８２０の無線信号の送受信に使用される。１７に示すように、ｅＮＢ８００は複数のアンテナ８１０を含んでもよい。例えば、複数のアンテナ８１０はｅＮＢ８００に使用される複数の周波数領域と互換性があり得る。図１４に、ｅＮＢ８００には複数のアンテナ８１０が含まれる例を示したが、ｅＮＢ８００は単一のアンテナ８１０を含んでもよい。
【００９５】
基地局装置８２０は、コントローラ８２１、メモリ８２２、ネットワークインターフェース８２３及び無線通信インターフェース８２５を含む。
【００９６】
コントローラ８２１は例えばＣＰＵ又はＤＳＰであり、且つ、基地局装置８２０の上位層の各種機能を動作させる。例えば、コントローラ８２１は無線通信インターフェース８２５によって処理された信号におけるデータに基づいてデータパケットを生成し、ネットワークインターフェース８２３を介して、生成されたパケットを伝送する。コントローラ８２１は複数のベースバンドプロセッサからのデータをバンドルして、バンドルパケットを生成し、生成されたバンドルパケットを伝送することができる。コントローラ８２１は以下のような制御を実行する論理機能を有してもよく、当該制御は例えば、無線リソース制御、無線ベアラ制御、移動管理、受付制御、スケジューリングなどである。当該制御は近くのｅＮＢ又はコアネットワークノードと結合して実行されることができる。メモリ８２２はＲＡＭとＲＯＭを含み、コントローラ８２１によって実行されるプログラム及び各種制御データ（例えば、端末リスト、送信パワーデータ及びスケジューリングデータ）が記憶される。
【００９７】
ネットワークインターフェース８２３は基地局装置８２０をコアネットワーク８２４の通信インターフェースに接続するためのものである。コントローラ８２１はネットワークインターフェース８２３を介してコアネットワークノード又は別のｅＮＢに通信することができる。この場合、ｅＮＢ８００とコアネットワークノード又は他のｅＮＢとは論理インターフェース（例えばＳ１インターフェースとＸ２インターフェース）によって互いに接続される。ネットワークインターフェース８２３は有線通信インターフェース又は無線バックホール回線用の無線通信インターフェースであってもよい。ネットワークインターフェース８２３が無線通信インターフェースであれば、無線通信インターフェース８２５によって使用される周波数帯域と比べると、ネットワークインターフェース８２３はより高い周波数帯域を無線通信に使用することができる。
【００９８】
無線通信インターフェース８２５は任意のセルラー通信方式（例えば、ＬＴＥ（Ｌｏｎｇ  Ｔｅｒｍ  Ｅｖｏｌｕｔｉｏｎ）、ＬＴＥ−Ａｄｖａｎｃｅｄ）をサポートし、アンテナ８１０を介してｅＮＢ８００のセルに位置する端末への無線接続を提供する。無線通信インターフェース８２５は通常、例えばベースバンド（ＢＢ）プロセッサ８２６とＲＦ回路８２７を含むことができる。ＢＢプロセッサ８２６は例えば、符号化／復号化、変調／復調、多重化／多重化解除を実行すると共に、レイヤー（例えばＬ１、メディアアクセス制御（ＭＡＣ）、無線リンク制御（ＲＬＣ）、パケットデータアグリゲーションプロトコル（ＰＤＣＰ））の様々なタイプの信号処理を実行することができる。コントローラ８２１の代わりに、ＢＢプロセッサ８２６は上記した論理機能の一部又は全部を有してもよい。ＢＢプロセッサ８２６は通信制御プログラムが記憶されるメモリであってもよく、或いは、プログラムを実行するように配置されるプロセッサ及び関連する回路を含むモジュールであってもよい。プログラムの更新はＢＢプロセッサ８２６の機能を変更させることができる。当該モジュールは基地局装置８２０のスロットに挿入されるカード又はブレッドであってもよい。その代わりに、当該モジュールはカード又はブレッドに搭載されるチップであってもよい。同時に、ＲＦ回路８２７は、例えばミキサ、フィルタ、増幅器を含んで、アンテナ８１０を介して無線信号を送受信してもよい。
【００９９】
図１４に示すように、無線通信インターフェース８２５は複数のＢＢプロセッサ８２６を含んでもよい。例えば、複数のＢＢプロセッサ８２６はｅＮＢ８００に使用される複数の周波数帯域と互換性があり得る。図１４に示すように、無線通信インターフェース８２５は複数のＲＦ回路８２７を含んでもよい。例えば、複数のＲＦ回路８２７は複数のアンテナ素子と互換性があり得る。図１４には、無線通信インターフェース８２５に複数のＢＢプロセッサ８２６と複数のＲＦ回路８２７を含む例を示したが、無線通信インターフェース８２５は単一のＢＢプロセッサ８２６又は単一のＲＦ回路８２７を含んでもよい。
【０１００】
図１４に示すｅＮＢ８００において、図１０により説明された送受信ユニット２０３は無線通信インターフェース８２５によって実現することができる。機能の少なくとも一部はコントローラ８２１によって実現することもできる。例えば、コントローラ８２１は、第１の生成ユニット２０１と第２の生成ユニット２０２の機能を実行することによって、エネルギーリソースマッピングテーブルの生成と第１のブロードキャスト信号の生成を実行することができる。
【０１０１】
（第２の適用例）
図１５は本開示の技術を適用できるｅＮＢの概略構成の第２の例を示すブロック図である。ｅＮＢ８３０は１つ又は複数のアンテナ８４０と、基地局装置８５０と、ＲＲＨ８６０とを含む。ＲＲＨ８６０と各アンテナ８４０はＲＦケーブルを介して互いに接続されることができる。基地局装置８５０とＲＲＨ８６０は光ファイバケーブルのような高速回線を介して互いに接続されることができる。
【０１０２】
アンテナ８４０のそれぞれは単一又は複数のアンテナ素子（例えば、ＭＩＭＯアンテナに含まれた複数のアンテナ素子）を含み、ＲＲＨ８６０の無線信号の送受信に使用される。図１５に示すように、ｅＮＢ８３０は複数のアンテナ８４０を含んでもよい。例えば、複数のアンテナ８４０はｅＮＢ８３０によって使用される複数の周波数帯域と互換性があり得る。図１５に、ｅＮＢ８３０に複数のアンテナ８４０が含まれる例を示したが、ｅＮＢ８３０は単一のアンテナ８４０を含んでもよい。
【０１０３】
基地局装置８５０は、コントローラ８５１と、メモリ８５２と、ネットワークインターフェース８５３と、無線通信インターフェース８５５と、接続インターフェース８５７とを含む。コントローラ８５１、メモリ８５２、及びネットワークインターフェース８５３は図２４を参照して説明したコントローラ８２１、メモリ８２２、ネットワークインターフェース８２３と同様である。
【０１０４】
無線通信インターフェース８５５は任意のセルラー通信方式（例えばＬＴＥとＬＴＥ−Ａｄｖａｎｃｅｄ）をサポートし、ＲＲＨ８６０とアンテナ８４０を介してＲＲＨ８６０に対応するセクタに位置する端末への無線通信を提供する。無線通信インターフェース８５５は通常、例えばＢＢプロセッサ８５６を含んでもよい。ＢＢプロセッサ８５６が接続インターフェース８５７を介してＲＲＨ８６０のＲＦ回路８６４に接続する以外、ＢＢプロセッサ８５６は図１５を参照して説明したＢＢプロセッサ８２６と同様である。図１５に示すように、無線通信インターフェース８５５は複数のＢＢプロセッサ８５６を含んでもよい。例えば、複数のＢＢプロセッサ８５６はｅＮＢ８３０に使用される複数の周波数領域と互換性があり得る。図１５に、無線通信インターフェース８５５に複数のＢＢプロセッサ８５６が含まれる例を示したが、無線通信インターフェース８５５は単一のＢＢプロセッサ８５６を含んでもよい。
【０１０５】
接続インターフェース８５７は基地局装置８５０（無線通信インターフェース８５５）をＲＲＨ８６０に接続するためのインターフェースである。接続インターフェース８５７は基地局装置８５０（無線通信インターフェース８５５）をＲＲＨ８６０の上記した高速回線における通信に接続するための通信モジュールであってもよい。
【０１０６】
ＲＲＨ８６０は接続インターフェース８６１と無線通信インターフェース８６３を含む。
【０１０７】
接続インターフェース８６１はＲＲＨ８６０（無線通信インターフェース８６３）を基地局装置８５０に接続するためのインターフェースである。接続インターフェース８６１は上記した高速回線における通信のための通信モジュールであってもよい。
【０１０８】
無線通信インターフェース８６３はアンテナ８４０を介して無線信号を送受信する。無線通信インターフェース８６３は通常、例えばＲＦ回路８６４を含んでもよい。ＲＦ回路８６４は例えばミキサ、フィルタ、増幅器を含んで、アンテナ８４０を介して無線信号を送受信してもよい。図１５に示すように、無線通信インターフェース８６３は複数のＲＦ回路８６４を含んでもよい。例えば、複数のＲＦ回路８６４は複数のアンテナ素子をサポートすることができる。図１５に、無線通信インターフェース８６３に複数のＲＦ回路８６４が含まれる例を示したが、無線通信インターフェース８６３は単一のＲＦ回路８６４を含んでもよい。
【０１０９】
図１５に示すｅＮＢ８３０において、図１０により説明された送受信ユニット２０３は無線通信インターフェース８５５及び／又は無線通信インターフェース８６３によって実現することができる。機能の少なくとも一部はコントローラ８５１によって実現することもできる。例えば、コントローラ８５１は第１の生成ユニット２０１、第２の生成ユニット２０２の機能を実行することによって、エネルギーリソースマッピングテーブルの生成、第１のブロードキャスト信号の生成を実行することができる。
【０１１０】
［ユーザー装置についての適用例］
（第１の適用例）
図１６は本開示の技術を適用できるスマートフォン９００の概略構成の例を示すブロック図である。スマートフォン９００はプロセッサ９０１、メモリ９０２、記憶装置９０３、外部接続インターフェース９０４、撮像装置９０６、センサー９０７、マイク９０８、入力装置９０９、表示装置９１０、スピーカ９１１、無線通信インターフェース９１２、１つ又は複数のアンテナスイッチ９１５、１つ又は複数のアンテナ９１６、バス９１７、バッテリー９１８及び補助コントローラ９１９を含む。
【０１１１】
プロセッサ９０１は例えばＣＰＵ又はシステムオンチップ（ＳｏＣ）であり、スマートフォン９００のアプリケーション層と他の層の機能を制御することができる。メモリ９０２はＲＡＭとＲＯＭを含み、データとプロセッサ９０１によって実行されるプログラムが記憶される。記憶装置９０３は例えば半導体メモリとハードディスクのような記憶媒体を含むことができる。外部接続インターフェース９０４は外部装置（例えばメモリカードとユニバーサルシリアルバス（ＵＳＢ）装置）をスマートフォン９００に接続するためのインターフェースである。
【０１１２】
撮像装置９０６はイメージセンサー（例えば電荷結合デバイス（ＣＣＤ）と相補型金属酸化物半導体（ＣＭＯＳ））を含み、撮影した画像を生成する。センサー９０７は例えば測定センサー、ジャイロセンサー、地磁気センサー及び加速度センサーのような１組のセンサーを含んでもよい。マイク９０８はスマートフォン９００に入力された音をオーディオ信号に変換する。入力装置９０９は例えば表示装置９１０のスクリーンでのタッチを検出するように配置されるタッチセンサー、キーパッド、キーボード、ボタンやスイッチを含み、ユーザーから入力された動作又は情報を受信する。表示装置９１０はスクリーン（例えば液晶ディスプレイ（ＬＣＤ）と有機発光ダイオード（ＯＬＥＤ）ディスプレイ）を含み、スマートフォン９００の出力画像を表示する。スピーカ９１１はスマートフォン９００から出力したオーディオ信号を音に変換する。
【０１１３】
無線通信インターフェース９１２は任意のセルラー通信方式（例えば、ＬＴＥとＬＴＥ−Ａｄｖａｎｃｅｄ）をサポートし、無線通信を実行する。無線通信インターフェース９１２は通常、例えばＢＢプロセッサ９１３とＲＦ回路９１４を含むことができる。ＢＢプロセッサ９１３は例えば、符号化／復号化、変調／復調、多重化／多重化解除を実行すると共に、無線通信のための様々なタイプの信号処理を実行することができる。同時に、ＲＦ回路９１４は例えばミキサ、フィルタ、増幅器を含んで、アンテナ９１６を介して無線信号を送受信することができる。なお、この図に、１つのＲＦリンクが１つのアンテナに接続されたことを示したが、これは単なる例示であり、１つのＲＦリンクが複数の位相シフターを介して複数のアンテナに接続されるシナリオも含む。無線通信インターフェース９１２はその上にＢＢプロセッサ９１３とＲＦ回路９１４が集積化される１つのチップモジュールであってもよい。図１６に示すように、無線通信インターフェース９１２は複数のＢＢプロセッサ９１３と複数のＲＦ回路９１４を含んでもよい。図１６に、無線通信インターフェース９１２に複数のＢＢプロセッサ９１３と複数のＲＦ回路９１４が含まれる例を示したが、無線通信インターフェース９１２は単一のＢＢプロセッサ９１３又は単一のＲＦ回路９１４を含んでもよい。
【０１１４】
なお、セルラー通信方式の以外、無線通信インターフェース９１２は、例えば短距離無線通信方式、近接通信方式や無線ローカルネットワーク（ＬＡＮ）方式などの別のタイプの無線通信方式をサポートすることができる。この場合、無線通信インターフェース９１２は各種の無線通信方式に対するＢＢプロセッサ９１３とＲＦ回路９１４を含んでもよい。
【０１１５】
アンテナスイッチ９１５のそれぞれは無線通信インターフェース９１２に含まれる複数の回路（例えば異なる無線通信方式に使用される回路）間でアンテナ９１６の接続先を切り替える。
【０１１６】
アンテナ９１６のそれぞれは単一又は複数のアンテナ素子（例えばＭＩＭＯアンテナに含まれた複数のアンテナ素子）を含み、無線通信インターフェース９１２の無線信号の送受信に使用される。図１６に示すように、スマートフォン９００は複数のアンテナ９１６を含んでもよい。図１６に、スマートフォン９００に複数のアンテナ９１６が含まれる例を示したが、スマートフォン９００は単一のアンテナ９１６を含んでもよい。
【０１１７】
なお、スマートフォン９００は各種の無線通信方式に対するアンテナ９１６を含んでもよい。この場合に、アンテナスイッチ９１５はスマートフォン９００の配置から省略されてもよい。
【０１１８】
バス９１７はプロセッサ９０１、メモリ９０２、記憶装置９０３、外部接続インターフェース９０４、撮像装置９０６、センサー９０７、マイク９０８、入力装置９０９、表示装置９１０、スピーカ９１１、無線通信インターフェース９１２及び補助コントローラ９１９を互いに接続する。バッテリー９１８は給電線によって図１６に示すスマートフォン９００の各ブロックに電力を供給し、給電線は図面において部分的に点線によって表される。補助コントローラ９１９は例えばスリープモードでスマートフォン９００の最少の必要な機能を動作させる。
【０１１９】
図１６に示すスマートフォン９００では、図１により説明された送受信ユニット１０３は無線通信インターフェース９１２によって実現することができる。機能の少なくとも一部は、プロセッサ９０１又は補助コントローラ９１９によって実現することもできる。例えば、プロセッサ９０１又は補助コントローラ９１９は、検出ユニット１０１と確定ユニット１０２の機能を実行することによって、アップリンク免除認可スケジューリング方法で、使用する無認可バンドにおける伝送リソースを確定することができる。
【０１２０】
（第２の適用例）
図１７は本開示の技術を適用できるカーナビゲーション装置９２０の概略構成の例を示すブロック図である。カーナビゲーション装置９２０はプロセッサ９２１、メモリ９２２、全球位置決めシステム（ＧＰＳ）モジュール９２４、センサー９２５、データインターフェース９２６、コンテンツプレーヤー９２７、記憶媒体インターフェース９２８、入力装置９２９、表示装置９３０、スピーカ９３１、無線通信インターフェース９３３、１つ又は複数のアンテナスイッチ９３６、１つ又は複数のアンテナ９３７及びバッテリー９３８を含む。
【０１２１】
プロセッサ９２１は例えばＣＰＵ又はＳｏＣであり、カーナビゲーション装置９２０のナビゲーション機能と他の機能を制御することができる。メモリ９２２はＲＡＭとＲＯＭを含み、データとプロセッサ９２１によって実行されるプログラムが記憶される。
【０１２２】
ＧＰＳモジュール９２４はＧＰＳ衛星から受信したＧＰＳ信号を使用してカーナビゲーション装置９２０の位置（例えば、緯度、経度、高度）を測定する。センサー９２５は例えばジャイロセンサー、地磁気センサー及び気圧センサーのような１組のセンサーを含んでもよい。データインターフェース９２６は図示しない端末を介して例えば車のネットワーク９４１に接続され、車両が生成したデータ（例えば、車速データ）を取得する。
【０１２３】
コンテンツプレーヤー９２７は記憶媒体（例えば、ＣＤとＤＶＤ）に記憶されたコンテンツを再生して、当該記憶媒体は記憶媒体インターフェース９２８に挿入される。入力装置９２９は例えば表示装置９３０のスクリーンでのタッチを検出するように配置されるタッチセンサー、ボタン又はスイッチを含み、ユーザーから入力された動作又は情報を受信する。表示装置９３０は例えばＬＣＤやＯＬＥＤディスプレイのスクリーンを含み、ナビゲーション機能の画像又は再生されたコンテンツを表示する。スピーカ９３１はナビゲーション機能の音又は再生されたコンテンツを出力する。
【０１２４】
無線通信インターフェース９３３は任意のセルラー通信方式（例えば、ＬＴＥとＬＴＥ−Ａｄｖａｎｃｅｄ）をサポートし、無線通信を実行することができる。無線通信インターフェース９３３は通常、例えばＢＢプロセッサ９３４とＲＦ回路９３５を含むことができる。ＢＢプロセッサ９３４は、例えば符号化／復号化、変調／復調、及び多重化／多重化解除を実行すると共に、無線通信に使用される様々なタイプの信号処理を実行することができる。同時に、ＲＦ回路９３５は例えばミキサ、フィルタ、増幅器を含み、アンテナ９３７を介して無線信号を送受信することができる。無線通信インターフェース９３３はその上にＢＢプロセッサ９３４とＲＦ回路９３５が集積化される１つのチップモジュールであってもよい。図１７に示すように、無線通信インターフェース９３３は複数のＢＢプロセッサ９３４と複数のＲＦ回路９３５を含んでもよい。図１７に、無線通信インターフェース９３３に複数のＢＢプロセッサ９３４と複数のＲＦ回路９３５が含まれる例を示したが、無線通信インターフェース９３３は単一のＢＢプロセッサ９３４又は単一のＲＦ回路９３５を含んでもよい。
【０１２５】
なお、セルラー通信方式の以外、無線通信インターフェース９３３は、例えば短距離無線通信方式、近接通信方式、及び無線ＬＡＮ方式のような別のタイプの無線通信方式をサポートすることができる。この場合、各種の無線通信方式に対して、無線通信インターフェース９３３はＢＢプロセッサ９３４とＲＦ回路９３５を含んでもよい。
【０１２６】
アンテナスイッチ９３６のそれぞれは無線通信インターフェース９３３に含まれる複数の回路（例えば、異なる無線通信方式に使用される回路）間でアンテナ９３７の接続先を切り替える。
【０１２７】
アンテナ９３７のそれぞれは単一又は複数のアンテナ素子（例えばＭＩＭＯアンテナに含まれる複数のアンテナ素子）を含み、無線通信インターフェース９３３の無線信号の送受信に使用される。図１７に示すように、カーナビゲーション装置９２０は複数のアンテナ９３７を含んでもよい。図１７に、カーナビゲーション装置９２０に複数のアンテナ９３７が含まれる例を示したが、カーナビゲーション装置９２０は単一のアンテナ９３７を含んでもよい。
【０１２８】
なお、カーナビゲーション装置９２０は各種の無線通信方式に対するアンテナ９３７を含んでもよい。この場合、アンテナスイッチ９３６はカーナビゲーション装置９２０の配置から省略されてもよい。
【０１２９】
バッテリー９３８は給電線によって図１７に示すカーナビゲーション装置９２０の各ブロックに電力を供給し、給電線は図面において部分的に点線によって表される。バッテリー９３８は車両から供給した電力を蓄積する。
【０１３０】
図１７に示すカーナビゲーション装置９２０では、図１により説明された送受信ユニット１０３は無線通信インターフェース９３３によって実現することができる。機能の少なくとも一部は、プロセッサ９２１によって実現することもできる。例えば、プロセッサ９２１は、検出ユニット１０１、確定ユニット１０２の機能を実行することによって、アップリンク免除認可スケジューリング方法で、使用する無認可バンドにおける伝送リソースを確定することができる。
【０１３１】
本開示の技術はカーナビゲーション装置９２０、車のネットワーク９４１及び車両モジュール９４２のうち１つ又は複数のブロックが含まれた車載システム（又は車両）９４０として実現されることができる。車両モジュール９４２は車両データ（例えば車速、エンジン速度、故障情報）を生成し、生成したデータを車のネットワーク９４１に出力する。
【０１３２】
以上、本発明の基本的な原理について、具体的な実施例を結合して説明した。しかしながら、当業者であれば、本発明の方法及び装置の全て又は任意のステップや部材は、任意のコンピューティングデバイス（プロセッサ、メモリ媒体などを含む）又はコンピューティングデバイスにおいて、ハードウェア、ファームウェア、ソフトウェア、又はそれらの組み合わせの形態で実現できることは理解される。これは、当業者が本発明の説明を読んだ場合に、その基本的な回路設計知識又は基本的なプログラミングスキルを使用して実現することができるものである。
【０１３３】
そして、本発明は機械可読命令コードが記憶されたプログラム製品をさらに提供する。前記命令コードが機械によって読み取って実行される時に、上記した本発明実施例による方法を実行することができる。
【０１３４】
これに対応して、上記した機械可読命令コードが記憶されたプログラム製品を担うための記憶媒体も本発明の開示に含まれた。上記した記憶媒体は、フロッピーディスク、光ディスク、光磁気ディスク、メモリカード、メモリスティックなどを含むが、これらに限定されない。
【０１３５】
ソフトウェア又はファームウェアによって本発明を実現する場合に、記憶媒体又はネットワークから専用のハードウェア構成を有するコンピュータ（例えば、図１８に示す汎用コンピュータ１８００）へ、当該ソフトウェアを構成するプログラムをインストールして、当該コンピュータは各プログラムがインストールされる場合に、各種の機能などを実行することができる。
【０１３６】
図１８において、中央処理装置（ＣＰＵ）１８０１は、読み取り専用メモリ（ＲＯＭ）１８０２に記憶されたプログラム又は記憶部分１８０８からランダムアクセスメモリ（ＲＡＭ）１８０３にロードされたプログラムに従って各種の処理を実行する。ＲＡＭ１８０３において、必要に応じて、ＣＰＵが各種の処理などを実行する時に必要なデータも記憶される。ＣＰＵ１８０１、ＲＯＭ１８０２、及びＲＡＭ１８０３はバス１８０４によって互いに接続される。入力／出力インターフェース１８０５もバス１８０４に接続される。
【０１３７】
入力部分１８０６（キーボード、マウスなどを含む）、出力部分１８０７（例えば陰極線管（ＣＲＴ）、液晶ディスプレイ（ＬＣＤ）などのディスプレイ、及びスピーカなどを含む）、記憶部分１８０８（ハードウェアなどを含む）、通信部分１８０９（例えばＬＡＮカードやモデムなどのネットワークインターフェースカードを含む）が入力／出力インターフェース１８０５に接続された。通信部分１８０９は例えばインターネットなどのネットワークを介して通信処理を実行する。必要に応じて、ドライバー１８１０は入力／出力インターフェース１８０５に接続されてもよい。例えば磁気ディスク、光ディスク、光磁気ディスク、半導体メモリなどのリムーバブルメディア１８１１は、その中から読み出したコンピュータプログラムが必要に応じて記憶部分１８０８にインストールされるように、必要に応じてドライバー１８１０に装着されている。
【０１３８】
ソフトウェアによって上記の一連の処理を実現する場合に、インターネットなどのネットワークやリムーバブルメディア１８１１などの記憶媒体から、ソフトウェアを構成するプログラムをインストールする。
【０１３９】
当業者が理解すべきことは、このような記憶媒体が図１８に示すような、その中にプログラムが記憶され、装置とは別途配布してユーザーにプログラムを提供するリムーバブルメディア１８１１に限定されない。リムーバブルメディア１８１１の例は、磁気ディスク（フロッピーディスク（登録商標）を含む）、光ディスク（光ディスク読み取り専用メモリ（ＣＤ−ＲＯＭ）とデジタル多用途ディスク（ＤＶＤ）を含む）、光磁気ディスク（ミニディスク（ＭＤ）（登録商標）を含む）、及び半導体メモリを含む。或いは、記憶媒体は、ＲＯＭ１８０２、記憶部分１８０８に含まれたハードウェアなどの、その中にプログラムが記憶され、これらが含まれた装置と一緒にユーザーに配布するものであってもよい。
【０１４０】
なお、本発明の装置、方法、及びシステムでは、各構成要素又は各ステップは分解及び／又は再結合することができるものである。これらの分解及び／又は再結合は本発明の均等の方案と見なすべきである。さらに、上記した一連の処理を実行するステップは当然、説明の順序に沿って時系列に実行することができるが、必ずしも時系列に実行される必要はない。いくつかのステップは並行的又は互いに独立して実行されてもよい。
【０１４１】
最後、説明する必要なことは、用語「包括」、「含む」又はそのいかなる他の変形は、非排他的な包含を含むことを意味することで、一連の要素を含むプロセス、方法、物品、又はデバイスは、それらの要素を含むだけではなく、明確に記載されていない他の要素をさらに含み、或いは、このようなプロセス、方法、物品、又はデバイスに固有する要素をさらに含む。また、より多い制限が存在しない場合、「．．．を一つ含む」という文によって限定される要素は、前記要素を含むプロセス、方法、物品又はデバイスに他の同じ要素がさらに含まれることを排除しない。
【０１４２】
以上、図面を結合して本開示の実施例について詳細に説明したが、上記した実施形態は本発明を説明するためのものであり、本発明を限定するものではないと理解すべきである。当業者にとって、本発明の精神及び範囲から逸脱することがなく、上記した実施形態に対して、様々な修正及び変更が可能である。そのため、本発明の範囲は添付した特許請求の範囲及びその等価物のみによって限定される。
【図１】
2020518139.tif 000003
【図２】
2020518139.tif 000004
【図３】
2020518139.tif 000005
【図４】
2020518139.tif 000006
【図５】
2020518139.tif 000007
【図６】
2020518139.tif 000008
【図７】
2020518139.tif 000009
【図８】
2020518139.tif 000010
【図９】
2020518139.tif 000011
【図１０】
2020518139.tif 000012
【図１１】
2020518139.tif 000013
【図１２】
2020518139.tif 000014
【図１３】
2020518139.tif 000015
【図１４】
2020518139.tif 000016
【図１５】
2020518139.tif 000017
【図１６】
2020518139.tif 000018
【図１７】
2020518139.tif 000019
【図１８】
2020518139.tif 000020
【国際調査報告】
2020518139.tif 000021
2020518139.tif 000022
2020518139.tif 000023
2020518139.tif 000024